(57)【特許請求の範囲】
【請求項１】
選択されたチャンネルを含むデジタル放送信号を送出するトランスポンダを検索するトランスポンダ検索手段と、
前記トランスポンダ検索手段により検索された前記トランスポンダからの前記デジタル放送信号を選局する選局手段と、
前記選局手段により選局されたデジタル放送信号に含まれるPAT（Program Association Table）において、選択された前記チャンネルのPIDを検索するPID検索手段と、
前記選局手段により選局されたデジタル放送信号に含まれる情報であって、少なくとも前記デジタル放送信号により提供される１つ以上の放送番組のそれぞれの有無を示す、前記デジタル放送信号に多重化されて提供されるEIT（Event Information Table）を抽出する抽出手段と、
前記抽出手段により抽出される前記EITに基づいて、選択された前記チャンネルにおいての放送番組の有無を監視する監視手段と、
前記トランスポンダ検索手段により、前記トランスポンダが検索されなかったか、または、前記PID検索手段により、選択された前記チャンネルのPIDが検索されなかった場合であって、前記監視手段により、予め決められた所定時間以上、放送番組を提供していない前記チャンネルを選択している状態が継続していることが検出された場合に、省電力モードに遷移するように制御する制御手段と
を備えることを特徴とする受信機。
【請求項２】
選択されたチャンネルを含むデジタル放送信号を送出するトランスポンダを検索するトランスポンダ検索手段と、
前記トランスポンダ検索手段により検索された前記トランスポンダからの前記デジタルを選局する選局手段と、
前記選局手段により選局されたデジタル放送信号によって提供される放送番組の映像を表示する表示素子と、
前記選局手段により選局されたデジタル放送信号に含まれるPAT（Program Association Table）において、選択された前記チャンネルのPIDを検索するPID検索手段と、
前記選局手段により選局されたデジタル放送信号に含まれる情報であって、少なくとも前記デジタル放送信号により提供される１つ以上の放送番組のそれぞれの有無を示す、前記デジタル放送信号に多重化されて提供されるEIT（Event Information Table）を抽出する抽出手段と、
前記抽出手段により抽出される前記EITに基づいて、選択された前記チャンネルにおいての放送番組の有無を監視する監視手段と、
前記トランスポンダ検索手段により、前記トランスポンダが検索されなかったか、または、前記PID検索手段により、選択された前記チャンネルのPIDが検索されなかった場合であって、前記監視手段により、予め決められた所定時間以上、放送番組を提供していない前記チャンネルを選択している状態が継続していることが検出された場合に、少なくとも前記表示素子への電力の供給を停止するように制御する制御手段と
を備えることを特徴とするテレビジョン受像機。
【請求項３】
選択されたチャンネルを含むデジタル放送信号を送出するトランスポンダを検索するトランスポンダ検索ステップと、
前記トランスポンダ検索ステップにおいて検索された前記トランスポンダからの前記デジタルを選局する選局ステップと、
前記選局ステップにおいて選局されたデジタル放送信号に含まれるPAT（Program Association Table）において、選択された前記チャンネルのPIDを検索するPID検索ステップと、
前記選局ステップにおいて選局した前記デジタル放送信号に含まれる情報であって、少なくとも前記デジタル放送信号により提供される１つ以上の放送番組のそれぞれの有無を示す、前記デジタル放送信号に多重化されて提供されるEIT（Event Information Table）を抽出する抽出ステップと、
前記抽出ステップにおいて抽出される前記EITに基づいて、選択した前記チャンネルにおいての放送番組の有無を監視する監視ステップと、
前記トランスポンダ検索ステップにおいて、前記トランスポンダが検索されなかったか、または、前記PID検索ステップにおいて、選択された前記チャンネルのPIDが検索されなかった場合であって、前記監視ステップにおいて、予め決められた所定時間以上、放送番組を提供していない前記チャンネルを選択している状態が継続していることが検出された場合に、省電力モードに遷移するように制御する省電力モード遷移ステップと
を有することを特徴とするデジタル放送信号の受信方法。
【発明の詳細な説明】
【０００１】
【発明の属する技術分野】
この発明は、電力の省力化を有効に行うことが可能な受信機、テレビジョン受像機、受信方法に関する。
【０００２】
【従来の技術】
例えば、深夜にテレビジョン放送番組を視聴していて、テレビジョン受像機に電源を投入したまま眠ってしまうということがある。この場合、放送が終了しているにもかかわらず、使用者（ユーザ）が気付くまで、テレビジョン受像機の電源が投入されたままになってしまい、無駄に電力を消費してしまう。
【０００３】
しかし、地上波のアナログテレビジョン放送信号を受信するテレビジョン受像機においては、テレビジョン放送信号の有無を検出することによって、放送していないチャンネルを選択しているか否かを検出することができる。具体的には、テレビジョン受像機のチューナ部から出力される映像信号の同期信号の有無を監視することによって、放送していないチャンネルを選択している状態にあるときには、これを容易に検出することができる。
【０００４】
そこで、放送していないチャンネルを一定時間選択したままになっていることを検出した場合には、最低限動作させておかなければならない部分にのみ電源を供給するようにし、その他の部分への電源の供給を停止させることによって、無駄な電力消費を防止するようにしている。
【０００５】
【発明が解決しようとする課題】
ところが、デジタル衛星放送あるいはアナログ衛星放送の場合には、番組の放送が終了しても衛星からの電波がとぎれることはなく、テスト信号などが送出されている場合が多い。このため、前述した地上波のアナログテレビジョン放送の場合と同様の方法によっては、放送番組の放送が行われているチャンネルと、行われていないチャンネルとを区別することができない。
【０００６】
また、Ｔｒａｎｓｐｏｒｔ  Ｓｔｒｅａｍ（以下、ＴＳと略称する。）形式と呼ばれるＭＰＥＧ（Ｍｏｔｉｏｎ  Ｐｉｃｔｕｒｅ  Ｅｘｐｅｒｔ  Ｇｒｏｕｐ）システムの伝送フレーム形式を採用したデジタル放送の場合、１つの放送信号に、パケット化された多数の放送番組のデータや放送に関する種々のデータが多重化されて送信するようにされている。
【０００７】
この場合、１つの放送番組を選択する単位をチャンネルとすると、１つの放送信号に複数のチャンネルが含まれることになる。そして、選択可能な多数のチャンネルの中から目的とする放送番組を放送しているチャンネルを選択することによって目的とする放送番組の視聴が可能となる。
【０００８】
しかし、選択可能なチャンネルであっても、昼間には放送番組の放送を行っているが、夜間には放送番組の放送を行っていないチャンネルや、この逆に、夜間には放送番組の放送を行っているが、昼間には放送番組の放送を行っていないチャンネルがある。また、土曜日と日曜日にしか放送番組の放送を行っていないチャンネルもある。
【０００９】
このように、デジタル放送の場合には、選択可能な多数のチャンネル中から選択するようにしたチャンネルによって、放送番組が放送されているか否かを確実に検出できなければ、放送番組を放送していないチャンネルを選局してしまった場合の電力の省力化を確実に行うことができない。
【００１０】
以上のことにかんがみ、この発明は、放送番組が放送されていないチャンネルを選択した場合の省電力を確実に行うことができる受信機、テレビジョン受像機および受信方法を提供することを目的とする。
【００１１】
【課題を解決するための手段】
上記課題を解決するため、請求項１に記載の発明の受信機は、
選択されたチャンネルを含むデジタル放送信号を送出するトランスポンダを検索するトランスポンダ検索手段と、
前記トランスポンダ検索手段により検索された前記トランスポンダからの前記デジタル放送信号を選局する選局手段と、
前記選局手段により選局されたデジタル放送信号に含まれるPAT（Program Association Table）において、選択された前記チャンネルのPIDを検索するPID検索手段と、
前記選局手段により選局されたデジタル放送信号に含まれる情報であって、少なくとも前記デジタル放送信号により提供される１つ以上の放送番組のそれぞれの有無を示す、前記デジタル放送信号に多重化されて提供されるEIT（Event Information Table）を抽出する抽出手段と、
前記抽出手段により抽出される前記EITに基づいて、選択された前記チャンネルにおいての放送番組の有無を監視する監視手段と、
前記トランスポンダ検索手段により、前記トランスポンダが検索されなかったか、または、前記PID検索手段により、選択された前記チャンネルのPIDが検索されなかった場合であって、前記監視手段により、予め決められた所定時間以上、放送番組を提供していない前記チャンネルを選択している状態が継続していることが検出された場合に、省電力モードに遷移するように制御する制御手段と
を備えることを特徴とする。
【００１７】
【発明の実施の形態】
以下、図を参照しながらこの発明による受信機、テレビジョン受像機および受信方法の一実施の形態について説明する。以下に説明する実施の形態においては、ＴＳ形式と呼ばれるＭＰＥＧシステムの伝送フレーム形式を採用したデジタル衛星放送を受信するデジタルテレビジョン受像機に、この発明による受信機、テレビジョン受像機および受信方法を適用した場合を例にして説明する。
【００１８】
なお、ＴＳ形式のデジタル放送信号は、１つの放送信号に、複数の放送番組の映像データや音声データ、放送に関する種々のデジタルデータがパケット化され、いわゆる時分割多重化するようにされている。このため、デジタルテレビジョン放送の場合には、目的とするテレビジョン放送番組を放送するチャンネルを含むデジタル放送信号（ＲＦチャンネル）を選局し、かつ、目的とする放送番組を放送するチャンネルを選択することによって、デジタル放送信号から目的とする放送番組のデータを抽出することによって、目的とする放送番組が視聴可能となる。
【００１９】
したがって、以下に説明する実施の形態において、単にチャンネルというときには、放送番組を選択する際の単位を意味し、また、チャンネルの選局というきには、デジタル放送信号の選局だけでなく、デジタル放送信号の選局と目的とする放送番組の選択とを含むものである。
【００２０】
図１は、この実施の形態のデジタルテレビジョン受像機（以下、単にテレビジョン受像機という。）を説明するためのブロック図である。図１に示すように、この実施の形態のテレビジョン受像機は、衛星放送用受信アンテナ１に接続されるデジタルチューナ（以下、単にチューナという。）２、デ・スクランブル部３、デ・マルチプレクサ４、映像信号デコーダと音声信号デコーダとを有するデコード部５、ＯＳＤ（Ｏｎ  Ｓｃｒｅｅｎ  Ｄｉｓｐｌａｙ）処理部６、映像信号処理回路７、ＤＥＦ（Ｄｅｆｌｅｃｔｉｏｎ：偏向）処理部８、ディスプレイ９、音声信号増幅器１０、スピーカ１１を備えている。
【００２１】
また、図１に示すように、この実施の形態のテレビジョン受像機は、制御部（デジタル制御部）１００、時計回路２１、リモコンインターフェース部（以下、リモコンＩ／Ｆ部と略称する。）２２、リモコン信号受光部２３、アナログブロック制御部２５、アナログブロックへの電源供給回路２６とを備えている。なお、アナログブロック制御部２５は、インターフェース（以下、Ｉ／Ｆと略称する。）２４を介して制御部１００に接続され、後述もするように、制御部１００によって制御することができるようにされている。
【００２２】
制御部１００は、ＣＰＵ１０１、ＲＯＭ１０２、ＲＡＭ１０３、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）１０４が、ＣＰＵバス１０５を通じて接続されて形成されたマイクロコンピュータであり、この実施の形態のテレビジョン受像機の各部を制御するものである。
【００２３】
ここで、ＲＯＭ１０２は、このテレビジョン受像機において実行する処理プログラムや必要となるデータなどが記録されたものである。また、ＲＡＭ１０３は、実行された処理の途中結果などを一時記憶するなど、主に作業領域として用いられるものである。ＥＥＰＲＯＭ１０４は、使用者によって設定された各種のパラメータ情報などを記憶するメモリであり、テレビジョン受像機の電源が落とされても記憶した情報が消滅することがないようにされたいわゆる不揮発性のメモリである。
【００２４】
また、時計回路２１は、現在時刻を提供するするとともに、カレンダ機能を備え、現在の年、月、日、曜日などをも提供することができるものである。この時計回路２１は、後述するように、省電力モードへの切り換え処理において現在時刻を提供するものとして用いられる他、いわゆるスリープタイマ機能や現在時刻の表示機能などを実現する場合にも用いられる。
【００２５】
また、図１において、リモートコマンダ（以下、リモコンと略称する。）３０は、この実施の形態のテレビジョン受像機用の遠隔制御装置であり、使用者からの操作入力に応じた赤外線のリモコン信号を形成して送出するものである。リモコン３０には、電源のオン・オフキー、選局のためのチャンネルキー、チャンネルのアップ／ダウンキー、音量のアップ／ダウンキー、その他の各種のファンクションキーなどが設けられたものである。
【００２６】
そして、使用者によるキー操作に応じてリモコン３０から送出される赤外線のリモコン信号は、この実施の形態のテレビジョン受像機のリモコン信号受光部２３により受光され、電気信号に変換される。この電気信号に変換されたリモコン信号は、リモコンＩ／Ｆ２２を通じて制御部１００に供給される。
【００２７】
これにより、制御部１００は、リモコン信号に応じて、各部を制御する制御信号を形成し、これを関連する各部に供給することにより、使用者からの指示に応じて、電源のオン／オフ、選局、音量調節などの種々の制御を行うことができるようにされている。
【００２８】
なお、この実施の形態のテレビジョン受像機は、図示しないが、テレビジョン受像機本体に主電源のオン／オフボタンスイッチが設けられている。そして、この主電源のオン／オフボタンスイッチをオンにして主電源を投入しておくことにより、制御部１００などの必要最小限の回路部分には電源が供給され、リモコン３０からのアナログブロックなどへの駆動電源の投入を要求するリモコン信号の受信待ち状態であるいわゆるスタンバイモード（スタンバイ状態）となる。
【００２９】
そして、スタンバイモードにあるときには、リモコン３０を通じて、離れたところから、駆動電源のオン／オフ操作を行うことができるとともに、駆動電源投入後においては、リモコン３０を通じて、チャンネルの切り換えや音量調整などの各種の操作を行うことができることができるようにされている。
【００３０】
このように、この明細書において、主電源の投入は、制御部１００などの必要最小限の回路部分に対して電源を供給してスタンバイモードにすることを意味し、駆動電源の投入は、ディスプレイ９などのアナログブロック部分を含め、すべての回路部分に電源を供給して、この実施の形態のテレビジョン受像機がデジタル放送信号を受信選局して目的とする放送番組を視聴できるようにテレビジョン受像機として動作するようにすることを意味する。
【００３１】
そして、主電源が投入された後に、リモコン３０を通じて駆動電源が投入されると、この実施の形態のテレビジョン受像機においては、以下のようにしてデジタル衛星放送信号の受信、選局処理などを行い、放送番組の視聴をできるようにする。すなわち、屋外に設置される衛星放送用受信アンテナ１により受信されたＴＳ形式のデジタル衛星放送信号（以下、単に衛星放送信号という。）は、チューナ部２に供給される。
【００３２】
チューナ部２は、制御部１００からの選局制御信号に基づいて、衛星放送信号を選局して復調し、復調後の衛星放送信号をデ・スクランブル部３に供給する。制御部１００からチャンネル部２に供給される選局制御信号は、リモコン３０を通じて受け付けた使用者からのチャンネル選択操作入力などに応じて、制御部１００において形成されるものである。
【００３３】
デ・スクランブル部３は、例えば、制御部１００から暗号解読のためのキー情報の提供を受けて、受信選局した衛星放送信号に施されているスクランブル処理（暗号化処理）を解読（解除）し、このスクランブル解読後の衛星放送信号をデ・マルチプレクサ４に供給する。
【００３４】
衛星放送信号は、前述したように、ＴＳ形式の信号であり、複数の放送番組の映像データや音声データ、放送に関する種々のデジタルデータ、また、ＥＰＧと呼ばれる電子番組ガイドを形成するためのデジタルデータなどが、パケット化され、いわゆる時分割多重化するようにされており、１つの衛星放送信号により、複数の放送番組や各種の情報を提供することができるようにされている。そして、各パケットには、ＰＩＤ（パケットＩＤ：パケット識別子）が付加され、テレビジョン受像機において、衛星放送信号から目的とするパケットを分離抽出することができるようにされている。
【００３５】
このため、デ・マルチプレクサ４においては、制御部１００からのチャンネル選択制御信号に基づいて、使用者により選択されたチャンネルにより放送するようにされている放送番組の映像データと音声データとを、デ・スクランブル部３からの衛星放送信号から抽出し、この抽出した放送番組の映像データと音声データとをデコード部５に供給する。
【００３６】
また、デ・マルチプレクサ４は、デ・スクランブル部３からの衛星放送信号から放送に関する種々のデータや、ＥＰＧを形成するためのデータを抽出し、これを制御部１００に供給する。この実施の形態において、デ・マルチプレクサ４において抽出され、制御部１００に供給される情報としては、ＮＩＴ（Ｎｅｔｗｏｒｋ  Ｉｎｆｏｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＥＩＴ（Ｅｖｅｎｔ  Ｉｎｆｏｍａｔｉｏｎ  Ｔａｂｌｅ）などがある。
【００３７】
ＮＩＴは、伝送路に関する物理的な情報を示すものであり、衛星の軌道についての情報、偏波についての情報、トランスポンダ（衛星中継機）ごとの周波数、各伝送路が伝送する放送番組（プログラム）番号などのデータからなるものである。ＮＩＴ自体のＰＩＤ（パケットＩＤ：パケット識別子）は、ＰＡＴによって指定するようにされている。また、放送番組番号は、使用者が選択するチャンネルに対応している。
【００３８】
ＰＡＴは、各放送番組番号ごとに、その放送番組を構成するパケットの情報を伝送するＰＭＴのＰＩＤを示すものである。ＰＡＴ自体のＰＩＤとしては、例えば、固定的にＰＩＤ＝”０“が割り当てられる。また、ＰＭＴは、各放送番組番号ごとに、その放送番組を構成する映像、音声、付加データなどのストリームが伝送されるパケットのＰＩＤを示すものである。ＰＭＴ自体のＰＩＤは、ＰＡＴで指定するようにされている。
【００３９】
そして、使用者が、目的とする放送番組を放送しているチャンネルを選択するようにすると、ＮＩＴの情報により、選択されたチャンネルを含む衛星放送信号を放送しているトランスポンダが特定される。これにより、前述したように、特定されたトランスポンダからの衛星放送信号を選局するように、制御部１００が選局制御信号を形成し、これをチューナ２に供給することによって、目的とするチャンネルを含む衛星放送信号を選局することができる。
【００４０】
そして、ＰＡＴの情報により、使用者によって選択されたチャンネルにより提供される放送番組を構成する映像データや音声データのパケットのＰＩＤを示すＰＭＴが特定される。そして、特定されたＰＭＴに基づいて、制御部１００が、チャンネル選択制御信号を形成し、これをデ・マルチプレクサ４に供給することによって、前述したように、デ・マルチプレクサ４において、目的とする放送番組の映像データや音声データを衛星放送信号から分離抽出することができる。
【００４１】
また、この実施の形態においてＥＩＴは、チャンネル番号、チャンネル名、番組の開始時刻、番組の終了時刻などのＥＰＧを作成するための情報を示すものである。このＥＩＴのデータによって、時間軸とチャンネル軸とをもったＥＰＧを作成し、このＥＰＧを通じて使用者が目的とする放送番組を放送しているチャンネルを迅速に見つけだして選択することができるようにされる。
【００４２】
また、ＥＩＴの情報に基づいて、後述もするように、選択したチャンネルにおいて、放送番組が放送されているか否かを確実に検出することができる。すなわち、この実施の形態のテレビジョン受像機においては、ＥＩＴの情報が、番組関連情報として用いられる。
【００４３】
そして、この実施の形態のテレビジョン受像機において、デ・マルチプレクサ４において分離抽出されて出力される放送番組のＥＳ（Ｅｌｅｍｅｎｔａｒｙ  Ｓｔｒｅａｍ）、すなわち、目的とする放送番組の映像データおよび音声データは、ＭＰＥＧ方式の符号化方法によりデータ圧縮されたものである。
【００４４】
そこで、デコード部５において、映像データや音声データを伸長処理（圧縮解凍処理）して、この実施の形態のテレビジョン受像機において、処理できるようにする。すなわち、この実施の形態のテレビジョン受像機のデコード部５は、図１に示したように、映像信号デコーダと音声信号デコーダを備えている。そして、デコード部５は、これに供給された映像データと音声データとを所定の符号化方式に応じて伸長処理して、データ圧縮前の元のデジタル映像データと、データ圧縮前の元のデジタル音声データとを復元する。
【００４５】
そして、デコード部５は、復元したデジタル映像データをＤ／Ａ変換（デジタル／アナログ変換）して、アナログ映像信号を形成し、これをＯＳＤ処理部６に供給する。また、デコード５は、復元したデジタル音声データをＤ／Ａ変換して、アナログ音声信号を形成し、これを音声信号増幅器１０に供給する。
【００４６】
ＯＳＤ処理部６は、制御部１００から供給されるデータに応じて、ＥＰＧや各種のメッセージを表示するようにするための映像信号処理を行うものであり、放送番組の映像のほかの文字などの情報を表示するようにするためのいわゆるテキスト／グラフィック処理回路である。
【００４７】
例えば、使用者からの指示に応じて、選択するようにされているチャンネルを示す文字情報や音量レベルを示す音量バーなどを表示する場合には、これらを表示するための情報が、制御部１００からＯＳＤ処理部６に供給される。そして、放送番組の映像信号に制御部１００からのチャンネルを示す文字や音量バーの表示が重畳するようにされ、これが映像信号処理回路７に供給される。
【００４８】
また、使用者からの指示に応じて、ＥＰＧを表示する場合には、ＥＰＧを形成する情報が、制御部１００からＯＳＤ処理部６に供給される。そして、ＯＳＤ処理部６において、ＥＰＧを表示するための映像信号が形成され、これが映像信号処理回路７に供給される。
【００４９】
映像信号処理回路７は、これに供給されたアナログル映像信号から、ディスプレイ９に供給する形式の信号、例えば、Ｒ（赤）、Ｇ（緑）、Ｂ（青）の３原色信号を形成し、これをディスプレイ９に供給する。
【００５０】
ディスプレイ９は、この実施の形態においては、ＣＲＴ（Ｃａｔｈｏｄｅ−Ｒａｙ  Ｔｕｂｅ）ディスプレイであり、これに供給された映像信号に応じた映像を自己の表示画面に表示させる。これにより、衛星放送信号により提供され、使用者により選択されたチャンネルにより放送されている放送番組の映像が、ディスプレイ９の表示画面に表示される。
【００５１】
なお、ＤＥＦ処理回路８は、映像同期信号に基づいて、偏向のための信号を形成し、これをディスプレイ９の偏向ヨークに供給することによって、電子ビームが適正にディスプレイ９の表示画面を走査することができるようにしている。
【００５２】
一方、音声信号増幅器１０は、これに供給されたアナログ音声信号を必要なレベルにまで増幅して、これをスピーカ１１に供給する。これにより、使用者により選択されたチャンネルにより放送されている放送番組の音声が、スピーカ１１から放音される。
【００５３】
このようにして、この実施の形態のテレビジョン受像機は、衛星放送信号を受信、選局し、その選局した衛星放送信号から目的とする放送番組を分離抽出して再生し、使用者が目的とする放送番組を視聴することができるようにしている。
【００５４】
そして、この実施の形態のテレビジョン受像機は、制御部１００が、デ・マルチプレクサ４により抽出されるＥＩＴの情報を監視し、放送番組を提供していないチャンネルを一定時間以上選択している状態が継続した場合には、この実施の形態のテレビジョン受像機のアナログブロックへの電源の供給を停止させるオートシャットダウン機能を備え、無駄に電力を消費してしまうことを防止している。
【００５５】
すなわち、この実施の形態のテレビジョン受像機は、図１を用いて前述したように、時計回路２１を備えており、放送番組を提供していないチャンネルが選択されている時間を計測することができるように構成されている。この計測結果が、一定時間以上となった場合に、制御部１００は、Ｉ／Ｆ２４を通じて、アナログブロック制御部２５を制御し、このアナログブロック制御部２５が電源供給回路２６を制御して、アナログブロックへの電源の供給を制御する。
【００５６】
なお、この実施の形態において、電源の供給が制御にされるアナログブロックは、アナログ映像信号、アナログ音声信号を処理する回路部分であり、図１において、点線で囲まれた、ＯＳＤ処理部６、映像信号処理部７、ＤＥＦ処理部８、ディスプレイ９、音声信号増幅器１０、スピーカ１１からなる回路部分である。
【００５７】
次に、この実施の形態のテレビジョン受像機の動作について、図２、図３のフローチャートを参照しながら説明する。図２、図３に示す処理は、この実施の形態のテレビジョン受像機に主電源が投入された後に、テレビジョン受像機の制御部１００において実行される処理である。
【００５８】
まず、制御部１００は、リモコン３０からの駆動電源の投入を指示するリモコン信号が受信されるまで待ち状態となり（ステップＳ１０１）、ステップＳ１０１の判断処理において、リモコン３０からの駆動電源の投入を指示するリモコン信号を受信したと判断したときには、制御部１００は、アナログブロックなどのすべての回路部分に電源を供給するようにし、ラストチャンネルメモリ機能により、前回、電源が落とされる直前まで選択していたチャンネルを選択するようにする（ステップＳ１０２）。
【００５９】
そして、制御部１００は、リモコン３０を通じての使用者からの操作入力があるか否かを判断し（ステップＳ１０３）、使用者からの選択入力はないと判断したときには、後述する図３のステップＳ１１８の処理に進み、省電力モード切り換えルーチンを実行することになる。
【００６０】
ステップＳ１０３の判断処理において、使用者からの操作入力が有ると判断した場合には、制御部１００は、受け付けた操作入力は、選局を指示するものか否か、すなわち、受け付けた操作入力は、チャンネルの変更を指示するものか否かを判断する（ステップＳ１０４）。
【００６１】
このステップＳ１０４の判断処理において、受け付けた操作入力は、選局を指示するものではないと判断したときには、受け付けた操作入力は、テレビジョン受像機の駆動電源をオフにすることを指示するものか否かを判断する（ステップＳ１０５）。
【００６２】
ステップＳ１０６の判断処理において、受け付けた操作入力は、駆動電源をオフにすることを指示するものであると判断したときには、制御部１００は、アナログブロックなどへの電源の供給を停止するなどの終了処理を行い（ステップＳ１０６）、スタンバイモードとなった後に、ステップＳ１０１からの処理を繰り返す。
【００６３】
また、ステップＳ１０６の判断処理において、受け付けた操作入力は、駆動電源をオフにすることを指示するものではないと判断したときには、制御部１００は、その選択入力に応じた処理、例えば、音量や画質の調整やチャンネル表示などの処理を行い（ステップＳ１０７）、後述する図３のステップＳ１１８の処理に進み、省電力モード切り換えルーチンを実行することになる。
【００６４】
また、ステップＳ１０４の判断処理において、受け付けた操作入力は、選局を指示するものであると判断したときには、制御部１００は、まず、受信、選局するようにしている衛星放送信号から分離抽出したＮＩＴに基づいて、選局するチャンネルを含む衛星放送信号を送出するトランスポンダを検索する（ステップＳ１０８）。
【００６５】
そして、制御部１００は、ステップＳ１０８の検索結果に基づいて、目的とするチャンネルを含むトランスポンダが存在するか否かを判断する（ステップＳ１０９）。ステップＳ１０９の判断処理において、目的とするチャンネルを含むトランスポンダが存在しないと判断したときには、制御部１００は、該当チャンネルは存在しないことを通知するための表示メッセージ情報を形成し、これをＯＳＤ処理部６に供給してメッセージ表示を行う（ステップＳ１１１）。そして、この実施の形態においては、後述する図３のステップＳ１１８の処理に進み、省電力モード切り換えルーチンを実行することになる。
【００６６】
このように、選局するようにしたチャンネルが存在しない場合には、この実施の形態のテレビジョン受像機のディスプレイ９の表示画面に、該当チャンネルがないことを通知するメッセージが表示されるので、他のチャンネルを選択するように使用者を促すことができる。
【００６７】
また、ステップＳ１０９の判断処理において、目的とするトランスポンダがあると判断したときには、制御部１００は、目的とするトランスポンダを選局するようにチューナ部２を制御するとともに、そのトランスポンダからの衛星放送信号からデ・マルチプレクサ４において分離抽出されるＰＡＴを検索し（ステップＳ１１１）、目的とするチャンネルのＰＩＤが存在するか否かを判断する（ステップＳ１１２）。このステップＳ１１２の判断処理は、該当するチャンネルにおいて、放送番組が放送されているか否かを判断する処理である。
【００６８】
ステップＳ１１２の判断処理において、ＰＡＴ内に目的とするチャンネルのＰＩＤがないと判断したときには、制御部１００は、該当チャンネルによる放送は、休止中であることを通知するための表示メッセージ情報を形成し、これをＯＳＤ処理部６に供給してメッセージ表示を行い（ステップＳ１１３）、この実施の形態においては、後述する図３のステップＳ１１８の処理に進み、省電力モード切り換えルーチンを実行することになる。
【００６９】
このように、該当チャンネルによって放送番組の放送が行われていない場合には、この実施の形態のテレビジョン受像機のディスプレイに、該当チャンネルによっては放送番組の放送が行われていないことを通知するメッセージが表示され、他のチャンネルを選択するように使用者を促すことができる。
【００７０】
そして、ステップＳ１１２の判断処理において、目的とするチャンネルのＰＩＤが存在すると判断したとき、すなわち、該当するチャンネルにより放送番組が放送されていると判断したときには、制御部１００は、図３に示すように、そのＰＡＴ内のＰＩＤに基づいて、目的とするチャンネルについてのＰＭＴを分離抽出する（ステップＳ１１４）。
【００７１】
そして、制御部１００は、抽出したＰＭＴの情報に基づいて、デ・マルチプレクサ４を制御し、目的とするチャンネルのＥＳ（Ｅｌｅｍｅｎｔａｒｙ  Ｓｔｒｅａｍ）、つまり、そのチャンネルにより提供される放送番組の映像データと音声データとを抽出する（ステップＳ１１５）。
【００７２】
そして、抽出されたＥＳは、前述もしたように、デコーダ部５において、伸長処理され、Ｄ／Ａ変換され、アナログ映像信号については、ＯＳＤ処理部６、映像信号処理部７を通じて、ディスプレイ９に供給され、音声信号については、音声信号増幅器１０を通じて、スピーカ１１に供給されて、選択されたチャンネルにより放送されている放送番組が視聴できるようにされる（ステップＳ１１６）。
【００７３】
次に、制御部１００は、デ・マルチプレクサ４を制御し、選局しているトランスポンダからＥＩＴを分離抽出し（ステップＳ１１７）、後述する省電力モード切り換えルーチンを実行する（ステップＳ１１８）。この後、省電力モードとなったか否かを判断し（ステップＳ１１９）、省電力モードとなったときには、図２に示したステップＳ１０１からの処理を繰り返す。また、ステップＳ１１９の判断処理において、省電力モードになっていないと判断したときには、図２に示したステップＳ１０３からの処理を繰り返す。
【００７４】
この図２、図３に示したフローチャートからも分かるように、この実施の形態のテレビジョン受像機は、主電源が投入されてスタンバイモードとなった後、リモコン３０を通じて駆動電源が投入されて、衛星放送信号の選局および目的とする放送番組を放送しているチャンネルの選択を行うようにした後、テレビジョン受像機の駆動電源が落されるまでは、必ず省電力モード切り換えルーチンが実行される。
【００７５】
この省電力モード切り換えルーチンは、以下に説明するように、放送が行われていないチャンネルを予め決められた一定時間Ｔｏｆｆ以上選局している場合には、アナログブロックへの電源の供給を停止させて省電力モードに遷移し、無駄に電力を消費しないようにするものである。
【００７６】
図４は、図２、図３に示したメインルーチンのステップＳ１１８において実行される省電力モード切り換えルーチンを説明するためのフローチャートである。
図４に示すように、省電力モード切り換えルーチンにおいては、制御部１００は、まず、時計回路２１から現在時刻を検出し、これを時刻Ｔ１として保持する（ステップＳ２０１）。
【００７７】
そして、制御部１００は、リモコン３０を通じての使用者からの操作入力があるか否かを判断する（ステップＳ２０２）。ステップＳ２０２の判断処理において、操作入力があると判断したときには、この図４に示す省電力モード切り換え処理を抜けてメインルーチンに戻り、図２に示したメインルーチンのステップＳ１０３からの処理を繰り返すことになる。
【００７８】
また、ステップＳ２０２の判断処理において、使用者からの操作入力はないと判断したときには、制御部１００は、デ・マルチプレクサ４により抽出される最新のＥＩＴの情報に基づいて、現在選局するようにしているチャンネルにより、現時点において、放送されているイベント（放送されている放送番組）があるか否かを判断する（ステップＳ２０３）。
【００７９】
前述したように、ＥＩＴは、チャンネル番号、チャンネル名、番組の開始時刻、番組の終了時刻などのＥＰＧを作成するための情報であり、このＥＩＴを参照することにより、現在選局するようにしているチャンネルにより、現時点において、放送番組が放送されているか否かを確実に判別することができる。
【００８０】
このステップＳ２０３の判断処理において、現在選局しているチャンネルにより、現時点において、放送されている放送番組がある判断したときには、制御部１００は、その放送番組の再生を続行し（ステップＳ２０４）、この図４に示す省電力モード切り換え処理のステップＳ２０１からの処理を繰り返す。
【００８１】
また、ステップＳ２０３の判断処理において、現在選局しているチャンネルにより、現時点において、放送されている放送番組がないと判断したときには、制御部１００は、時計回路２１から現在時刻を検出し、これを時刻Ｔ２として保持する（ステップＳ２０５）。
【００８２】
そして、制御部１００は、ΔＴ＝Ｔ２−Ｔ１なる演算を行って、時点Ｔ２と時点Ｔ１との差分ΔＴを求める（ステップＳ２０６）。そして、求めた差分ΔＴと、予め決められた一定時間Ｔｏｆｆとを比較し、予め決められた一定時間Ｔｏｆｆが差分ΔＴより長いか否かを判断する（ステップＳ２０７）。
【００８３】
このステップＳ２０７の判断処理は、放送を行っていないチャンネルを継続して選局している場合に、その継続時間である差分ΔＴが、予め決められた一定時間Ｔｏｆｆより長くなったか否かを検出するための判断処理である。つまり、一定時間Ｔｏｆｆは、省電力モードへの切り換えを行うか否かを判断するための時間であり、例えば、１０分、１５分などというように予め決められた任意の時間である。
【００８４】
図５は、予め決められる一定時間Ｔｏｆｆと時刻の差分ΔＴとの関係を説明するための図である。図５に示すように、ΔＴは、時刻Ｔ２と時刻Ｔ１との差分であって、ＥＩＴの情報に基づいて、選局したチャンネルにより、放送番組が放送されなくなってからの当該チャンネルの選局が継続している時間である。この時間ΔＴが、予め決められる一定時間Ｔｏｆｆ以上になった場合には、図５に示すように、省電力モードをオンする。
【００８５】
つまり、ステップＳ２０７の判断処理において、差分ΔＴより一定時間Ｔｏｆｆの方が長いと判断した場合には、制御部１００は、まだ、省電力モードに切り換える必要はないと判断し、ステップＳ２０２からの処理を繰り返す。ステップＳ２０５の判断処理において、一定時間Ｔｏｆｆより差分ΔＴの方が長くなったと判断したときには、制御部１００は、一定時間Ｔｏｆｆ以上、放送番組を放送していないチャンネルを選局しているので、省電力モードとなるようにアナログブロック制御部２５を制御し、省電力モードに遷移する（ステップＳ２０８）。
【００８６】
このステップＳ２０８の処理により、アナログブロック制御部２５は、電源供給回路２６を制御して、図１において点線により囲った部分であるアナログブロックへの電源の供給を停止させ、省電力モードとなる。なお、ここで、省電力モードは、主電源は投入されており、リモコン３０からの駆動電源の投入を指示するリモコン信号の受信待ちの状態であり、前述したスタンバイモードと同様の状態である。
【００８７】
このため、この実施の形態においては、省電力モードととなった後には、図２に示したメインルーチンのステップＳ１０１からの処理を行って、使用者からの駆動電源の投入を指示する操作入力を待つことになる。
【００８８】
このように、この実施の形態のテレビジョン受像機において、チューナ２が、選局手段、デ・マルチプレクサ４が、抽出手段、制御部１００が、監視手段および制御手段としての機能を備えている。そして、各手段が協働して、放送番組の放送が行われていないチャンネルの選局が一定時間以上継続した場合には、アナログブロックへの電源の供給を停止し、無駄に電力を消費することを確実に防止することができるようにしている。
【００８９】
なお、この実施の形態のテレビジョン受像機においては、図２に示したステップＳ１０９の判断処理において、目的とするチャンネルを含む衛星放送信号が存在しないと判断された場合、および、ステップＳ１１２の判断処理において、目的とするチャンネルのＰＭＴが検出できず、目的とするチャンネルによる放送番組の放送が休止中であると判断した場合にも、省電力モード切り換え処理が実行される。
【００９０】
この場合においては、ＥＩＴは検出されず、図４に示した省電力モード切り換えルーチンのステップＳ２０３の処理においては、現在選局しているチャンネルにより、現時点において、放送されている放送番組がないと判断される。このため、存在しないチャンネルを選局したままとなっている場合、および、放送が休止中のチャンネルを選局したままとなっている場合にも、その状態が一定時間Ｔｏｆ以上継続した場合には、アナログブロックへの電力の供給は停止され、省電力モードとなるようにされる。
【００９１】
もちろん、図２に示したステップＳ１０９の判断処理において、目的とするチャンネルを含む衛星放送信号が存在しないと判断された場合、および、図２に示したステップＳ１１２の判断処理において、目的とするチャンネルのＰＭＴが検出できず、目的とするチャンネルによる放送番組の放送が休止中であると判断した場合には、使用者によりチャンネルの変更が指示された直後であるので、省電力モードへの切り換え処理は行わず、メッセージを表示したままの状態で、使用者によるチャンネルの変更を指示する操作入力を待つようにしてもよい。
【００９２】
また、この実施の形態においては、省電力モードとする場合には、図１において、点線で囲んだ回路ブロックであるアナログブロックへの電源の供給を停止するようにしたが、これに限るものではない。例えば、少なくともディスプレイ９への電源の供給のみを停止するようにしてもよい。また、主電源までをも落とすようにしてもよい。
【００９３】
また、一定時間Ｔｏｆｆは、例えば、製造者側において予め定められ、ＥＥＰＲＯＭ１０４などに予め設定するようにされる。この一定時間Ｔｏｆｆは、５分、１０分、１５分などの任意の時間とすることができる。また、リモコン３０を通じて、使用者によって、一定時間Ｔｏｆｆの時間を設定したり、変更したりすることができるようにしてもよい。また、オートシャットダウン機能を用いるか、用いないのかの別も、リモコン３０などを通じて使用者によって設定するようにすることもできる。
【００９４】
なお、この実施の形態においては、デジタル衛星放送を受信するテレビジョン受像機にこの発明を適用した場合を例にして説明したがこれに限るものではない。例えば、ＳＴＢ（Ｓｅｔ−Ｔｏｐ  Ｂｏｘ）、ＩＲＤ（ＩｎｔｅｇｒａｔｅｄＲｅｃｅｉｖｅｒ  Ｄｅｃｏｄｅｒ）などとよばれる受信機や、放送信号の受信機能を備えたＶＴＲ（ビデオテープレコーダ）、放送信号の受信機能を備えたＤＶＤの記録再生機など、受信機能を備えた各種の電子機器のこの発明を適用することができる。
【００９５】
なお、受信機の例としては、図１を用いて説明したテレビジョン受像機のディスプレイ９、スピーカ１１を備えない装置を考えればよい。そして、受信機の場合にも、省電力モードとする場合には、アナログ映像信号やアナログ音声信号を処理する回路部分、例えば、ＯＳＤ処理部、映像信号処理部、音声信号増幅器などへの電源の供給を停止させるようにすればよい。
【００９６】
すなわち、省電力モードとする場合には、スタンバイモードを管理する比較的に小規模のデジタル制御部などの必要最小限の回路部分にのみ電源を供給し、その他の回路部分には電源を供給しないようにすればよい。また、受信機において行う処理も、図２、図３、図４を用いて前述した処理と同様の処理を行うおようにするればよく、テレビジョン受像機にも、受信機にもこの発明の受信方法を適用することができる。もちろん、受信機の場合において、省電力モードとする場合には、すべての電源の供給を停止するようにしてもよい。
【００９７】
また、前述の実施の形態においては、デジタル衛星放送を受信することが可能なテレビジョン受像機にこの発明を適用した場合を例にして説明したが、これに限るものではない。例えば、アナログ放送の場合にもこの発明を適用することができる。また、テレビジョン放送の場合だけでなく、ラジオ放送の受信機にもこの発明を適用することができる。
【００９８】
すなわち、放送信号は、放送番組を配信する場合だけでなく、試験電波を送信するなど、常時送信するようにされている場合に、その放送信号中に、視聴者に提供される放送番組の放送が行われているか否かを判別することが可能な放送番組に関する情報（放送番組関連情報）を重畳、あるいは、多重化するようにしておく。
【００９９】
そして、受信側においては、放送信号に重畳あるいは多重化されている放送番組関連情報を抽出し、この抽出した放送番組関連情報に基づいて、放送信号が存在していても、その放送信号によっては放送番組が提供されているか否かを正確に判断し、放送番組が放送されていないチャンネルを所定時間以上選局するようにした場合には、省電力モードに遷移させるようにすることができる。
【０１００】
なお、従来のテレビジョン放送信号やラジオ放送信号のように、１つの放送信号により提供される放送番組が１つだけである場合には、チャンネルの選局は、放送信号の選局となる。
【０１０１】
また、放送信号もデジタル衛星放送信号だけでなく、アナログ衛星放送信号や、地上波のアナログ放送信号、地上波のデジタル放送信号、あるいは、ケーブルテレビジョン放送などの有線で提供され放送信号を受信する受信機やテレビジョン受像機などに、この発明を適用することができる。
【０１０２】
【発明の効果】
以上説明したように、この発明によれば、放送信号が存在するものの、例えばテスト信号が放送すようにされており、その放送信号によっては放送番組が放送されていない場合であっても、放送番組が放送されていないことを確実に検出することができる。そして、放送番組が放送されていないチャンネルを所定時間以上継続した場合には、省電力モードに遷移し、無駄に電力を消費しないようにすることができる。
【図面の簡単な説明】
【図１】この発明の一実施の形態が適用されたテレビジョン受像機について説明するためのブロック図である。
【図２】図１に示したテレビジョン受像機において実行されるメインルーチンを説明するためのフローチャートである。
【図３】図２に続くフローチャートである。
【図４】図１にしめしたテレビジョン受像機において実行される省電力モード切り換えルーチンを説明するためのフローチャートである。
【図５】予め決められる一定時間Ｔｏｆｆと時刻の差分ΔＴとの関係を説明するための図である。
【符号の説明】
１…衛星放送用受信アンテナ、２…デジタルチューナ、３…デ・スクランブル部、４…デ・マルチプレクサ、５…デコード部、６…ＯＳＤ（Ｏｎ  Ｓｃｒｅｅｎ  Ｄｉｓｐｌａｙ）処理部、７…映像信号処理回路、８…ＤＥＦ（Ｄｅｆｌｅｃｔｉｏｎ：偏向）処理部、９…ディスプレイ、１０…音声信号増幅器、１１…スピーカ、制御部１００、１０１…ＣＰＵ、１０２…ＲＯＭ、１０３…ＲＡＭ、１０４…ＥＥＰＲＯＭ、２１…時計回路、２２…リモコンインターフェース部（リモコンＩ／Ｆ部）、２３…リモコン信号受光部、２４…インターフェース、２５…アナログブロック制御部２５、２６…電源供給回路２６
【図１】
0004534103.tif 000002
【図２】
0004534103.tif 000003
【図３】
0004534103.tif 000004
【図４】
0004534103.tif 000005
【図５】
0004534103.tif 000006